(57)【要約】【課題】本発明は、台木になる成木の枝に増殖させる親木の穂木を接木すると共に、取木又は挿し木をして発根させることで、より短い期間で丈夫で育成し易い接木苗が得られ、しかも、一度に大量に同じ特性を有する接木苗を得る生産方法を提供する。【解決手段】台木になる成木の若枝の複数箇所において取木すると共に、該取木の場所の先側で親木の穂木を芽つぎ又は枝つぎして育成することにより、穂木が接木された台木の発根した取木部から切断して複数の接木苗を得ることを特徴とする。または、台木になる成木の若枝の複数箇所において親木の穂木を芽つぎ又は枝つぎして接木し、活着後切り取り挿し穂として挿し木して発根させることにより複数の接木苗を得ることを特徴とする。【選択図】図１
2009095241.tif 000002
【特許請求の範囲】
【請求項１】
台木の若枝の複数箇所において取木すると共に、該取木の場所の先側で親木の穂木を芽つぎ又は枝つぎして育成することにより穂木が接木された台木の発根した取木部から切断して複数の接木苗を得ることを特徴とする接木苗の生産方法。
【請求項２】
前記取木に用いられる合成樹脂製又は不織布製の取木用ポットが、上端側が開口する略円錐筒形状のポット本体と、中心部に若枝の挿入孔を設けたポット底板と、該ポット本体の上端からポット底板の挿入孔に掛けて設けた１箇所の切り込みと、該切り込みを境にしてポット本体の外径を拡大して張り出した２箇所のベロ部と、該ポット本体の上部に設けた複数の結束用バンド穴及び複数の通水穴と、ポット本体に設けた通水穴と、から構成されており、かつ、前記２箇所のベロ部を相互に重ね合わせてポット本体に沿って巻き付けると共に、前記複数の結束用バンド穴に結束用バンドを通して絞ることによりポット本体上部を絞り込んでポット本体を巾着形状に形成可能にしたことを特徴とする請求項１に記載の接木苗の生産方法。
【請求項３】
台木の若枝の複数箇所において親木の穂木を芽つぎ又は枝つぎして接木し、活着後切り取り挿し穂として挿し木して発根させることにより複数の接木苗を得ることを特徴とする接木苗の生産方法。
【発明の詳細な説明】
【技術分野】
【０００１】
本発明は、果樹、花木などの園芸植物で行われる栄養繁殖法の一種である接木苗に関し、詳しくは、台木になる成木の枝に増殖させる親木の穂木を接木すると共に、取木又は挿し木して発根させることによる接木苗の生産方法に関するものである。
【背景技術】
【０００２】
従来、果樹などの植物の増殖は、親木と同じ形や性質を備えたクローン苗が得られ、望ましい品種をそのまま増やすことができる観点から、接木、挿し木又は取木による栄養繁殖が主流である。一般に、数多く苗を増やしたいときは、挿し木、接木、取木の順であり、失敗が少ないのは、取木、挿し木、接木の順であり、丈夫な苗を作り易いのは、取り木、接木、挿し木の順と言われている。挿し木は一度に数多くの苗を生産できるが、苗が小さいので成木になるまで時間が掛かるうえ、根が弱い品種などは土壌の整備・管理などに気をつけなければならないなどの問題がある。取木は挿し木苗に比べて大苗ができるが、挿し木のように一度に沢山の苗は作れない。
【０００３】
また、接木は台木の品種によっては根が弱いために病害虫や土壌の条件によって問題になるケースがあるが、病害虫に強く土壌の条件にも強い品種の台木に接木することで高品質の品種でも管理の手間が軽減できるなどの優位性がある。この一つの事例として、ブルーベリーを穂木として、日本の土壌に適応した日本自生のツツジ科スノキ属シャシャンボを台木とした接木繁殖方法が先行技術として公開され、従来の挿し木苗による育成手段に比較して樹の生長が早く、早期収穫ができるとしている（文献１）。
【特許文献１】特開２００３−７０３５７公報（〔００１９〕、〔図３〕）
【発明の開示】
【発明が解決しようとする課題】
【０００４】
前述したように、所望の品質を持つ親木の穂木を病害虫に強く、栽培土壌に適した台木の苗に接木して接木苗を得ることは、親木の更新が容易に確実に達成できる点では優れているが、台木の苗を確保するのに実生苗や挿し木発根苗からの育成が必要なので、この台木の苗に育成するまでに長時間を要し、ひいては、接木苗の生産に長時間を要していた。また、台木を育成する場所や人手の制約もあり、台木からの接木苗を大量に簡易に得られ難いので、大量に増殖できない問題があった。
【０００５】
本発明は、前述の課題を解決するために試行を繰り返して完成させたものであって、果樹、花木などの園芸植物で行われる栄養繁殖法の一種である接木苗に関するものであって、台木になる成木の若枝に増殖させる親木の穂木を接木すると共に、取木又は挿し木をして発根させることで、より短い期間で丈夫で育成し易い接木苗が得られ、しかも、一度に大量に同じ特性を有する接木苗を得る生産方法を提供するものである。
【課題を解決するための手段】
【０００６】
上記の目的を達成するための本発明の請求項１に係る接木苗の生産方法は、台木の若枝の複数箇所に取木すると共に、該取木の場所の先側で親木の穂木を芽つぎ又は枝つぎして育成することにより、穂木が接木された台木の発根した取木部から切断して複数の接木苗を得ることを特徴とする。
【０００７】
前記接木苗の生産方法は、台木となる成木の若枝の途中に切り込みをいれ、増殖又は更新する親木から削ぎとった芽付きの部分又は１芽から数芽つけた枝を切り取った穂木を、その台木の切り込みに芽接ぎ又は枝接ぎして接木を行い、同時に前記接木部から枝元の方の場所で取木を施すことにより穂木を台木に接木すると共に台木の取木部から発根させる育成を行った後、該取木部から切断して、親木が台木に接木され、かつ、台木から発根した状態の接木苗を得るものである。
【０００８】
この方法によれば、親木とする植物で挿木では発根し難い種類でも、接木と取木を併用することにより親木が台木に確実に活着し、かつ、台木から根強く発根した状態で成木に育成し易い丈夫な接木苗を得ることができる。また、この方法によれば、取木時に親木を接いでいるので、実生苗又は挿木発根苗から育成した台木を使った従来の方法のように親木を接ぐために台木地上部を根元近くで切り捨てる必要がないので、従来方法の切り捨てた台木の育成期間も親木の育成期間に充当できるため、接木苗を成木に育成する期間を短く、かつ、大きく育てることが可能であり、果実を得る種類では早期に収穫することができる。
【０００９】
また、この方法は、若枝の複数箇所において、各箇所毎に接木・取木することにより複数の接木苗をほぼ同時に育成して得るものである。また、この方法によれば、大量の接木苗を生産できると共に、同じ台木から派生した接木苗が得られるので、生育具合や環境への適応及び病害虫に対する耐性などの特性が同じ傾向であるので栽培管理がし易くなる。
【００１０】
また、請求項２に係る接木苗の生産方法は、請求項１記載の接木苗の生産方法において、取木に用いられる合成樹脂製又は不織布製の取木用ポットが、上端側が開口する略円錐筒形状のポット本体と、中心部に若枝の挿入孔を設けたポット底板と、該ポット本体の上端からポット底板の挿入孔に掛けて設けた１箇所の切り込みと、該切り込みを境にしてポット本体の外径を拡大して張り出した２箇所のベロ部と、該ポット本体の上部に設けた複数の結束用バンド穴及び複数の通水穴と、ポット本体に設けた通水穴と、から構成されており、かつ、前記２箇所のベロ部を相互に重ね合わせてポット本体に沿って巻き付けると共に、前記複数の結束用バンド穴に結束用バンドを通して絞ることによりポット本体上部を絞り込んでポット本体を巾着形状に形成可能にしたことを特徴とする。
【００１１】
これらの構成によれば、斜めの枝や横向きの枝のみならず直立した枝に対して取木作業するときに、ポットの切り込み部より取木部の若枝をポット内に嵌めて貫通させ、ベロ部をポット本体の側壁に巻き付かせてホッチキス等の綴り具で留めてポットを完成し、次いで、ポット内に用土やミズゴケを入れて若枝の環状剥皮された取木部を覆って、結束バンドによりポット本体上部を絞って開口部を閉じ、取木枝にポットを固定すると共に、巾着状の取木ポットが形成できるので、こぼれ易い用土（赤玉土や鹿沼土など）でも用いることができる。また、開口部を閉じることにより、用土等の乾燥を防止することができる。また、ポット本体上部及び側面に通水穴があるので、ポット内の蒸れ防止や乾燥防止のための水遣りを可能にする。
【００１２】
また、本発明の取木用ポットは形状が単純であり、また、使い捨てが望ましいので、厚みが薄手の合成樹脂製でも強度が十分あり、機能も十分発揮できる。この製造はブロー成型等で一体的に成型できるので、量産可能で、しかも経済的である。また、不織布製の取木用ポットの場合は、不織繊維シートから一体的に成型して製作することが可能で、材質自体に通気性、透水性があるので、取木作業時にポットの切れ目の位置を考慮しなくてもよい。また、生分解性を有するので、定植しても環境に優しいといえる。
【００１３】
また、請求項３に係る接木苗の生産方法は、台木になる成木の若枝の複数箇所において親木の穂木を芽つぎ又は枝つぎして接木し、活着後切り取り挿し穂として挿し木して発根させることにより複数の接木苗を得ることを特徴とする。
【００１４】
本方法によれば、挿し木では発根し難い品種の親木の場合でも、親木の穂木を発根が容易で、栽培土壌に適した、かつ、病害虫にも強い品種の台木の若枝に接木した後に、穂木が活着した台木を切り取って挿し穂として、挿し木により育成することで接木苗を生産し、この接木苗を定植して成木に確実に容易に育成栽培することができる。また、若枝の複数箇所にわたり親木の穂木を接木することにより最終的に接木苗がほぼ同時に多数得られるので、親木の増殖又は更新を一度に多数行うことができるので、生産性や作業性が向上する。また、この方法によれば、大量の接木苗を生産できると共に、同じ台木から派生した接木苗が得られるので、生育具合や環境への適応及び病害虫に対する耐性などの台木の特性が同じ傾向であるので栽培管理がし易い。
【発明の効果】
【００１５】
本発明に係る請求項１記載の接木苗の生産方法によれば、従来の接木繁殖であれば、台木の苗を実生苗、挿木発根苗から育成・管理する期間が２〜５年と長く要するのに比べ、本発明方法では接木部の活着と取木部の発根を同時に進行させ得るので、接木苗の育成期間を１〜２年と短くすることができ、これらの作業を短縮して省力化することもできる。また、従来の挿し木方式に比べ大きな接木苗が作れるので、優良品種である親木の更新が短期間ででき、付加価値の高い果実等をいち早く生産することもできる。また、この方法によれば、大量の接木苗を生産できると共に、同じ台木から派生した接木苗が得られるので、生育具合や環境への適応及び病害虫に対する耐性などの台木の特性が同じ傾向であるので栽培管理がし易い。
【００１６】
また、請求項２記載の取木用ポットによれば、直立や斜めや横向きの枝の取木部に対して通気性、排水性のよい赤玉土や鹿沼土などの粒状の用土を容易に使用できるので、発根し易い上、十分に根量が増えてから接木苗として植え替えできるので活着がよい。また、植え替え時に同じ用土のまま植え替えすることができるので作業が容易であると共に、植え替え時の発根部のダメージを少なくできるので接木苗の活着がよい。また、合成樹脂製又は不織布製の取木用ポットはコストが安く製作できるのと、取木作業も、本発明の取木用ポットは単純な構造であり、道具も結束バンドやホッチキスや鋏などであり、低コストで、作業も簡単にすることができる。
【００１７】
また、請求項３の接木苗の生産方法によれば、挿し木時に親木を接いでいるので、実生苗又は挿木発根苗から育成した台木を使った従来の方法のように親木を接ぐために台木地上部を根元近くで切り捨てる必要がないので、従来方法の切り捨てた台木の育成期間も親木の育成期間に充当できるため、接木苗を成木に育成する期間を短く、かつ、大きく育てることが可能であり、果実を得る種類では早期に収穫することができる。また、同一性質の台木から派生した接木が一度に多数栽培することができるので、親木の増殖又は更新において生産性が高く、作業効率もよく、経済効果も大きい。また、生育具合や環境への適応及び病害虫に対する耐性などの台木の特性が同じ傾向であるので栽培管理がし易い。
【発明を実施するための最良の形態】
【００１８】
以下、本発明の実施形態を図面に基づいて説明する。図１は、本発明に係る接木苗の生産方法の一実施形態であって、（ａ）は台木となる若枝に複数箇所で穂木を接木して取木を施した状態の略示図、（ｂ）は台木となる若枝に複数箇所で穂木を接木した状態の略示図、である。図２は、本発明に係る接木苗の生産方法により作られた接木苗であって、（ａ）は接木・取木によって作られた接木苗の模式図、（ｂ）は接木された挿し穂を挿し木した状態の略示図、（ｃ）は（ｂ）の挿し木によって作られた接木苗の模式図である。図３は、本発明に係る接木苗の生産方法において、取木用ポットを用いた接木の一実施形態であって、（ａ）は直立した若枝に適用した模式的側面図、（ｂ）は直立した若枝に適用した別の模式的側面図、（ｃ）斜めの若枝に適用した模式的側面図である。図４は、図３における取木用ポットの一実施形態であって、（ａ）は模式的斜視図、（ｂ）は平面図、（ｃ）は（ａ）のＡ矢視の側面図、（ｄ）は（ｂ）のＢ−Ｂ矢視の断面図である。
【００１９】
図１、図２に基づいて、本発明に係わる接木苗１の生産方法を説明すると、図１（ａ）は台木１０の若枝２の複数箇所において、各箇所で、親木の芽を持つ穂木３−１を枝つぎした接木部３と、その枝元側にて若枝２に環状剥皮部４を設けてそれを取り囲むように用土７２又はミズゴケを装入した取木用ポット６を用いた取木部５と、を設けて、穂木３−１を台木１０の若枝２に接木し、かつ、取木部５から発根させるために育成する状態を示し、接木・取木による接木苗１の生産方法を示す図である。この環状剥皮部４は若枝２の樹皮を剥いで形成した長さ数ｃｍの部分で、この部分から発根することになる。図２（ａ）には、この方法により生産された接木苗１を模式的に表したもので、親木の穂木３−１が台木１０に枝つぎされ、かつ、取木により台木１０から発根した発根部１２を有する、いわゆる定植前の接木苗１である。また、取木においては、取木用ポット６を適用した例を示しているが、従来のミズゴケで包む方法又はビニールシートで以って用土７２又はミズゴケを包む方法も採ることができる。また、取木用ポット６を用いる方法では、複数の取木用ポット６の重量が若枝２に荷重として働くので、若枝２が撓らないように支柱７によりサポートするのが望ましい。
【００２０】
前述の接木に用いられる穂木３−１は、増殖又は更新したい親木より１芽から数芽を付けた枝を切り取り、その接木する部分を台木１０の若枝２の接木部３に枝つぎできるように加工して穂木３−１とする。図１，２には穂木３−１を枝つぎした例を示すが、枝つぎの代わりに親木から芽を持つ部分を削り取って、芽付きの部分を穂木３−１として芽つぎする接木方法も用いることができる。また、台木１０は、接木が確実に行えるためには、親木に近い種のものを選択するのがよく、加えて接木苗１を育成しその後定植する土壌に適し、しかも病害虫に耐性がある種のものを選択するのがよい。また、台木１０の若枝２も親木の穂木３−１も健康に育ち、勢いのある若い株の若い枝を使うのがよく、なるべく太くて充実した枝がよい。
【００２１】
図１（ｂ）は、接木・挿木による接木苗１の生産する方法において、台木１０の若枝２の複数箇所において、各箇所で親木の穂木３−１を枝つぎした接木部３を設けたものであって、接木苗１を生産するための挿し木する前の段階で、挿し穂１１を作る状態の図である。すなわち、穂木３−１が若枝２に接木にて活着すれば、接木部３の枝元側で若枝２を切断し、切断部を加工して挿し穂１１を作成する。この挿し穂１１を表したのが図２（ｂ）であって、育成用ポット７３の中の用土７２に挿し穂１１を挿し木して発根させ、図２（ｃ）に示すように発根した発根部１２を有する接木苗１を生産する。この場合において、枝つぎの代わりに親木から芽を持つ部分を削り取って、芽付きの部分を穂木３−１として芽つぎする接木方法も用いることができる。また、挿し穂１１となる台木１０の若枝２も親木の穂木３−１も健康に育ち、勢いのある若い株の若い枝を使うのがよく、なるべく太くて充実した枝がよい。また、台木１０は、接木が確実に行えるためには、親木に近い種のものを選択するのがよく、加えて、挿し木で発根が確実に行え接木苗１として育成し易く、その後定植する土壌に適し、しかも病害虫に耐性がある種のものを選択するのがよい。
【００２２】
図３に基づいて接木・取木による接木苗１の生産方法に用いられる取木用ポット６を説明すると、取木用ポット６は、上端側が開口する略円錐筒形状のポット本体６０と、中心部に挿入孔６７を設けたポット底板６１と、該ポット本体６０の上端からポット底板６１の挿入孔６７に掛けて設けた１箇所の切り込み６２と、切り込み６２を境にしてポット本体６０の外径を拡大して張り出した２箇所のベロ部６３と、ポット本体６０の上部に設けた複数の結束用バンド穴６５及び複数の通水穴６６と、ポット本体６０に設けた通水穴６６と、から一体に構成されている。取木用ポット６のサイズは、取木の対象となる若枝２に合わせて何種類か用意する必要があるが、具体的には植木鉢サイズで１号（径３ｃｍ）、２号、３号、４号、５号（径１５ｃｍ）の５サイズで対応できる。また、取木用ポット６の材質は、結束バンド７０やホッチキスなどの綴じ具７１でポット６を固定するので、薄くて軟らかいビニールやプラスチックなどの合成樹脂や不織布がよい。前記合成樹脂は、薄肉でも、強度が十分で、ある程度弾性があるプラスチック材料から製作するのが望ましく、ブロー成型等の成型加工により一体的に製作される。このプラスチック材料としては、安価なビニール、ポリエチレン、ポリプロピレン等のプラスチックが適している。また前記不織布は、天然繊維を用いた不織繊維シートから一体的に成型して製作することができる。また、環境に配慮するならば、そのまま定植できる生分解性プラスチックや天然植物繊維を用いた不織布も好適である。
【００２３】
前述のベロ部６３については、図３、図４に示すように、取木する若枝２の部位、例えば環状剥皮部４を挿入孔６７に通してポット６内に取込み、次いで、切り込み６２を挟んで２箇所のベロ部６３をポット本体６０に沿うように巻き付けるように重ねて、綴じ具７１で留めて取木用ポット６を組立てた後、若枝２及び環状剥皮部４を囲んで用土７２を装入して使用するが、この場合に、用土７２がこぼれなく、かつ、ポット本体６０がベロ部６３が重なり合った切れ目６４から割れたり、裂けたりすることがないように、ベロ部６３の張り出し長さが取木用ポット６の大きさを勘案して決められる。
【００２４】
結束用バンド穴６５については、取木する若枝２の環状剥皮部４を内に取込み、環状剥皮部４を用土７２で囲んだ状態の取木用ポット６に対して、結束バンド７０をポット本体６０上部に設けた結束用バンド穴６５に通すことにより引き締めて、即ち、絞り込んで、絞込みガイドライン６８から折れた巾着形状の取木用ポット６を形成するが、この際に、ポット本体上部が極端な皺や襞が発生しないように、結束バンド７０の大きさに対応して結束用バンド穴６５の大きさと数を決めるのがよい。結束バンド７０の幅は通常５〜１０ｍｍの範囲であり、結束用バンド穴６５の数は取木用ポット６のサイズに左右されるが６〜１２個の範囲である。
【００２５】
前述の巾着形状の取木用ポット６において、ポット本体６０の上部は、ポット６の開口部を覆って閉じることから、内部の湿潤した用土５の乾燥を防止する。また、ポット本体６０上部に設けられた複数の通水穴６６は、ポット６内の蒸れ防止とポット６内への水分や養分の補給するための水遣り時に、ポット６内に水が行き届くように通水穴の役目を果たす。図４（ｂ）に示す底板６１には、取木する若枝２をポット６内に貫通して取込むための挿入孔６７が設けられ、取込む若枝２の太さに見合った寸法の挿入孔６７に鋏等で加工し易くするために、寸法を示す年輪のような何本かの筋を引いた挿入孔ガイドライン６９を設けている。
【００２６】
また、取木用ポット６の色は、根張りが自然になるように光を通さない有色、例えば黒色は太陽熱を吸収し易いので気温の低い時期に有効であり、シルバー色は光を反射するのでポット６内の温度が黒色に比し上がりにくいので気温の高い時期に有効である。また、ポット６内の用土を含めた乾燥具合や発根状態を見ることができる透明色があればよく、このように使用者の目的・用途に合わせて適宜選択することができる。不織布の場合も黒色や温度の上がりにくい白色から適宜選択することができる。
【００２７】
図３（ａ）、（ｂ）に示すように、本発明に係る取木用ポット６（以下、ポット６と称する）で、主として合成樹脂製の取木用ポット６を用いて直立した若枝２に適用した実施形態を説明すると、先ず、取木する若枝２の部位を環状に樹皮を剥いで環状剥皮部４を形成する。次いで、ポット６内に取り込む若枝２の太さに合わせるように、底板６１のガイドライン６９に準拠して挿入孔６７の内径を調整する。次いで、ポット本体６０の上端から挿入孔６７に掛かる切り込み６２を拡開して若枝２及び環状剥皮部４を挿入孔６７に嵌めると共に、ポット６内に取込む。次いで、切り込み６２を元に戻し、更に２箇所のベロ部６３をポット本体６０に沿うように巻き付けるように重ねて、綴じ具７１で留めてポット６を組立てる。次に環状剥皮部４の部位を中心にポット内の若枝２も埋めるように用土７２（又はミズゴケ）を装入する。ミズゴケの場合は、根量が多くなると根とミズゴケが絡み合いミズゴケを取り除きにくい面がある。
【００２８】
次いで、取木する若枝２の環状剥皮部４を用土７２で埋め込んだポット６のポット本体６０上部に在る結束用バンド穴６５に市販のビニル製の結束バンド７０を通して引き締めることにより、ポット６が若枝２に設置固定されると共に、ポット本体６０の上部がガイドライン６９から折れて絞込まれてポット本体６０の上部の開口が閉じられ、巾着形状のポット６を形成する。また、この際、図３（ｂ）のように、ポット本体６０の上部の通水穴６６の部位を窪ませた巾着形状のポット６を形成する場合には、水遣り時に水をポット６内に滲み込ませ易い。この際に、ポット本体６０の上部が極端な皺や襞の発生を防止することで、後での水遣りがポット６内に均等に行き渡らすことができるように留意するとよい。また、図３（ｂ）に示すように、ポット６のずり下がりを防止するために、ポット６の底板６１にある挿入孔６７の際のところで若枝２に別の結束バンド７０を固定すると共に、結束バンド７０の余り部をポット６の底板６１に当てておくのがよい。
【００２９】
前述のように、取木する若枝２に取木用ポット６を設置して、水分等を適切に遣っておくと、取木部である環状剥皮部４から不定根（図示しない）が発根し成長し続ける。このようにして、植え替えても、定植すると判断できる時が来れば、取木用ポット６を若枝２毎切り離して接木苗１としてポット６毎植え替えるか、又はポット６の外郭を外して発根部を用土毎植えつけることができる。前者の場合であっても、根が発達してくると、根の力によりポット本体６０のベロ部６３を留めているホッチキスなどの綴じ具７１が解放され、ポット本体６０が割れて、容易に定植する用土と一体化し、接木苗１の成長を阻害することがない。よって、どちらの植え替え作業も、本発明の取木用ポット６を用いれば、簡易であり、定植に成功する確度が大きい。
【００３０】
図３（ｃ）には、斜めの若枝２を対象とした取木用ポット６の適用例を示すが、横向きの枝の場合も同様であって、以下に直立した枝の取木と異なる点についてのみ説明する。斜めや横向きの枝の場合も、直立した枝の場合と同様に作業するが、ポット６の向きはベロ部６３を巻いている切れ目６４のラインが上向きになるように固定すると、水遣り時にポット６内に水が滲み込み易くなる。また、横向きの場合は、ポット本体６０をホッチキスなどの綴じ具７１でポット６を形成してから、結束バンド７０を通しポット本体６０の開口部を絞りながら、用土７２を中へ入れていくと、用土５の装入作業が容易となる。
【００３１】
不織布製取木用ポット６の場合は、ポット６の材質自体に通気性、通水性があるので、ポット本体６０の切れ目６４の向きを上にしたりする必要がない。また、ポット６の腰が弱いので合成樹脂製のポット６に比べ用土７２を装入し難いが、用土７２を入れる前に結束バンド７０で内張りしてやれば改善できる。
【産業上の利用可能性】
【００３２】
果樹や花木などの樹木の栄養繁殖を行う分野で、量産した接木苗を用いて前記樹木の増殖すること関して利用することができる。
【図面の簡単な説明】
【００３３】
【図１】本発明に係る接木苗の生産方法の一実施形態であって、（ａ）は台木となる若枝に複数箇所で穂木を接木して取木を施した状態の略示図、（ｂ）は台木となる若枝に複数箇所で穂木を接木した状態の略示図、である。
【図２】本発明に係る接木苗の生産方法により作られた接木苗であって、（ａ）は接木・取木によって作られた接木苗の模式図、（ｂ）は接木された挿し穂を挿し木した状態の略示図、（ｃ）は（ｂ）の挿し木によって作られた接木苗の模式図である。
【図３】本発明に係る接木苗の生産方法において、取木用ポットを用いた取木の一実施形態であって、（ａ）は直立した若枝に適用した模式的側面図、（ｂ）は直立した若枝に適用した別の模式的側面図、（ｃ）斜めの若枝に適用した模式的側面図である。
【図４】図３における取木用ポットの一実施形態であって、（ａ）は模式的斜視図、（ｂ）は平面図、（ｃ）は（ａ）のＡ矢視の側面図、（ｄ）は（ｂ）のＢ−Ｂ矢視の断面図である。
【符号の説明】
【００３４】
１：接木苗            ２：枝            ３：接木部      ３−１：穂木  
４：環状剥皮部    ５：取木部          ６：取木用ポット    ７；支柱
１０：台木        １１：挿し穂        １２：発根部
６０：ポット本体      ６１：底板      ６２：切り込み    ６３：ベロ部  
６４：切れ目      ６５：結束バンド用穴    ６６：通水穴    ６７：挿入孔
６８：絞込みガイドライン    ６９：ガイドライン    ７０：結束バンド
７１：綴じ具      ７２：用土    ７３：育成用ポット    
【図１】
2009095241.tif 000003
【図２】
2009095241.tif 000004
【図３】
2009095241.tif 000005
【図４】
2009095241.tif 000006